【手続補正書】
【提出日】平成22年10月25日(2010.10.25)
【手続補正１】
【補正対象書類名】明細書
【補正対象項目名】０１０１
【補正方法】変更
【補正の内容】
【０１０１】
本出願では、以下の態様が提供される。
１．  液晶構成成分と、光重合開始剤と、ポリマー前駆体構成成分と、を含み、前記ポリマー前駆体構成成分が、（ｉ）構造（Ｉ）の第１モノマー４０〜９５重量％、Ｒ１ｍＲ２ｐＳｉ（Ｘ）４−ｍ−ｐ （Ｉ） （式中、Ｒ１は、アクリルオキシ、メタクリルオキシ、又は（メタ）アクリルオキシアルキルであり、Ｒ２は、水素、（Ｃ１〜Ｃ１２）アルキル、（Ｃ６〜Ｃ１２）アリール、又は（Ｃ７〜Ｃ１７）アリールアルキルから独立して選択され、Ｘは、加水分解可能又は加水分解不可能な基であり、ｍは、１〜３の整数であり、（ｍ＋ｐ）は、１〜３の整数である。）と、（ｉｉ）構造（ＩＩ）の１つ以上の第２モノマー０．０５〜６５重量％、Ｒ３ｎ−Ｒ４ （ＩＩ） （式中、Ｒ３は、アクリルオキシ又はメタクリルオキシから独立して選択され、Ｒ４は、Ｓ、Ｏ、Ｓｉ、又はＮから独立して選択される１つ以上のヘテロ原子置換基を所望により含有する（Ｃ１〜Ｃ２０）アルキル又は（Ｃ７〜Ｃ１７）アリールアルキルであり、ｎは、１〜４の整数である。）と、（ｉｉｉ）エステル、ウレタン、又は１つ以上の反応性（メタ）アクリレート基を有する（メタ）アクリレート系ポリマー若しくはオリゴマー０．０５〜５５重量％と、を含む、組成物。
２．  前記ポリマー前駆体が更に、構造（ＩＩＩ）の第３モノマー、
【化１】
2010509457.tif 000001
（式中、Ｒ５は、水素又は−ＣＨ３であり、Ｒ６は、（Ｃ１〜Ｃ１２）アルキル、（Ｃ６〜Ｃ１２）アリール、又は（Ｃ７〜Ｃ１７）アリールアルキルである。）を含む、態様１に記載の組成物。
３．  前記組成物が、液晶構成成分を６０〜９５重量％含む、態様１に記載の組成物。
４．  前記組成物が、光開始剤を０．１〜５重量％含む、態様１に記載の組成物。
５．  Ｘが加水分解可能な基である、態様１に記載の組成物。
６．  Ｘがアルコキシ基である、態様１に記載の組成物。
７．  構造（Ｉ）の前記第１モノマーが、
【化２】
2010509457.tif 000002
又はこれらの混合物であり、式中、Ｒ７が、水素又は−ＣＨ３である、態様１に記載の組成物。
８．  前記第２モノマーが、トリメチロプロパントリアクリレート、ヘキサンジオールジメタクリレート、ヘキサンジオールジアクリレート、ブタンジオールジメタクリレート、エチレングリコールジアクリレート、又はエチレングリコールジメタクリレートである、態様１に記載の組成物。
９．  前記（メタ）アクリレート系ポリマー又はオリゴマーが、ペンダントメタクリレート基を有するポリブチルメタクリレートである、態様１に記載の組成物。
１０．  液晶構成成分６０〜９５重量％と、前記ポリマー前駆体と関連する光重合開始剤０．１〜５重量％と、ポリマー前駆体構成成分５〜４０重量％と、を含み、前記ポリマー前駆体構成成分が、（ｉ）構造（Ｉ）の前記第１モノマー６０〜８５重量％と、（ｉｉ）構造（ＩＩ）の１つ以上の前記第２モノマー５〜３０重量％と、（ｉｉｉ）エステル、ウレタン、又は１つ以上の反応性（メタ）アクリレート基を有する（メタ）アクリレート系ポリマー若しくはオリゴマー５〜３０重量％と、を含む、態様１に記載の組成物。
１１．  液晶構成成分７０〜９５重量％と、前記ポリマー前駆体と関連する光重合開始剤０．１〜５重量％と、ポリマー前駆体構成成分５〜３０重量％と、を含み、前記ポリマー前駆体構成成分が、（ｉ）構造（Ｉ）の前記第１モノマー４０〜９５重量％、
【化３】
2010509457.tif 000003
（式中、Ｒ７は、水素又は−ＣＨ３である。）と、（ｉｉ）ヘキサンジオールジメタクリレート０．０５〜６５重量％と、（ｉｉｉ）ペンダントメタクリレート基を有するポリブチルメタクリレート５〜５５重量％と、を含む、態様１に記載の組成物。
１２．  液晶構成成分７０〜９５重量％と、前記ポリマー前駆体と関連する光重合開始剤０．１〜５重量％と、ポリマー前駆体構成成分５〜３０重量％と、を含み、前記ポリマー前駆体構成成分が、（ｉ）構造（Ｉ）の前記第１モノマー６０〜８５重量％、
【化４】
2010509457.tif 000004
（式中、Ｒ７は、水素又は−ＣＨ３である。）と、（ｉｉ）ヘキサンジオールジメタクリレート５〜３０重量％と、（ｉｉｉ）ペンダントメタクリレート基を有するポリブチルメタクリレート５〜３０重量％と、を含む、態様１に記載の組成物。
１３．  構造（ＩＩ）の１つ以上の前記第２モノマーが、構造（ＩＩａ〜ＩＩｄ）のモノマー、
【化５】
2010509457.tif 000005
（式中、Ｙは、（Ｃ２〜Ｃ２０）アルキルであり、ｎは、独立して０〜１０の整数、Ｚは、−Ｃ２Ｈ４−又は−Ｃ３Ｈ６−であり、Ｒ８は、−Ｈ又は−ＣＨ３であり、及びＲ９は、−Ｈ又は−ＯＨである。）のうちの１つ以上から独立して選択される、態様１に記載の組成物。
１４．  双安定性電気光学デバイスの形成方法であって、前記方法が、第１導電性内表面を有する第１基材を供給する工程と、第２導電性内表面を有する第２基材を供給する工程であって、前記第１基材又は前記第２基材のうち少なくとも一方が、可視光線を透過することと、前記第１導電性内表面上に組成物を付着する工程であって、前記組成物が、（ａ）液晶構成成分と、（ｂ）光重合開始剤と、（ｃ）ポリマー前駆体構成成分と、を含み、前記ポリマー前駆体構成成分が、（ｉ）構造（Ｉ）の第１モノマー４０〜９５重量％、Ｒ１ｍＲ２ｐＳｉ（Ｘ）４−ｍ−ｐ （Ｉ） （式中、Ｒ１は、アクリルオキシ、メタクリルオキシ、又は（メタ）アクリルオキシアルキルであり、Ｒ２は、水素、（Ｃ１〜Ｃ１２）アルキル、（Ｃ６〜Ｃ１２）アリール、又は（Ｃ７〜Ｃ１７）アリールアルキルから独立して選択され、Ｘは、加水分解可能又は加水分解不可能な基であり、ｍは、１〜３の整数であり、（ｍ＋ｐ）は、１〜３の整数である。）と、（ｉｉ）構造（ＩＩ）の１つ以上の第２モノマー０．０５〜５５重量％、Ｒ３ｎ−Ｒ４ （式中、Ｒ３は、アクリルオキシ又はメタクリルオキシから独立して選択され、Ｒ４は、（Ｃ１〜Ｃ２０）アルキルであり、ｎは、１〜４の整数である。）と、（ｉｉｉ）エステル、ウレタン、又は１つ以上の反応性（メタ）アクリレート基を有する（メタ）アクリレート系ポリマー若しくはオリゴマー５〜６５重量％と、を含むことと、前記組成物上に前記第２導電性表面を配置する工程と、前記組成物を硬化して、硬化組成物を形成する工程と、を含む、方法。
１５．  前記硬化工程が、前記組成物を硬化して、１〜１５マイクロメートルの範囲の厚さを有する硬化組成物を形成することを含む、態様１４に記載の方法。
１６．  前記硬化工程が、前記組成物を０．１〜１０ｍＷ／ｃｍ２の範囲で放射線硬化することを含む、態様１５に記載の方法。
１７．  前記硬化工程が、前記組成物を０．２〜３ｍＷ／ｃｍ２の範囲で放射線硬化することを含む、態様１５に記載の方法。
１８．  前記第１基材を供給する前記工程が、第１可撓性の透明ポリマー基材を供給する工程を含むか又は、前記第２基材を供給する前記工程が、第２可撓性の透明ポリマー基材を供給することを含む、態様１４に記載の方法。
１９．  前記方法が、ロール・ツー・ロール装置で実施される、態様１４に記載の方法。
２０．  前記硬化工程が、前記組成物を硬化して、分散型液晶相とポリ（メタ）アクリレート連続相とを有する硬化組成物を形成することを含む、態様１４に記載の方法。
２１．  前記第１基材を供給する前記工程が、パターン化された電極である第１導電性内表面を有する第１基材を供給することを含むか、又は第２基材を供給する前記工程が、パターン化された電極である第２導電性内表面を有する第２基材を供給することを含む、態様１４に記載の方法。
２２．  前記配置工程が、コレステリック液晶材料を含む前記組成物を配置することを含む、態様１４に記載の方法。
２３．  前記配置工程が、ネマチック液晶材料を含む前記組成物を配置することを含む、態様１４に記載の方法。
実施例１６の配合物は、１．２〜１．５ｍＷ／ｃｍ２の最も大きな照射プロセスウィンドウをもたらすことが認められる。
【手続補正２】
【補正対象書類名】特許請求の範囲
【補正対象項目名】全文
【補正方法】変更
【補正の内容】
【特許請求の範囲】
【請求項１】
液晶構成成分と、
光重合開始剤と、
ポリマー前駆体構成成分と、を含み、前記ポリマー前駆体構成成分が、
（ｉ）構造（Ｉ）の第１モノマー４０〜９５重量％、
Ｒ１ｍＲ２ｐＳｉ（Ｘ）４−ｍ−ｐ （Ｉ）
（式中、
Ｒ１は、アクリルオキシ、メタクリルオキシ、又は（メタ）アクリルオキシアルキルであり、
Ｒ２は、水素、（Ｃ１〜Ｃ１２）アルキル、（Ｃ６〜Ｃ１２）アリール、又は（Ｃ７〜Ｃ１７）アリールアルキルから独立して選択され、
Ｘは、加水分解可能又は加水分解不可能な基であり、
ｍは、１〜３の整数であり、（ｍ＋ｐ）は、１〜３の整数である。）と、
（ｉｉ）構造（ＩＩ）の１つ以上の第２モノマー０．０５〜６５重量％、
Ｒ３ｎ−Ｒ４ （ＩＩ）
（式中、
Ｒ３は、アクリルオキシ又はメタクリルオキシから独立して選択され、
Ｒ４は、Ｓ、Ｏ、Ｓｉ、又はＮから独立して選択される１つ以上のヘテロ原子置換基を所望により含有する（Ｃ１〜Ｃ２０）アルキル又は（Ｃ７〜Ｃ１７）アリールアルキルであり、
ｎは、１〜４の整数である。）と、
（ｉｉｉ）エステル、ウレタン、又は１つ以上の反応性（メタ）アクリレート基を有する（メタ）アクリレート系ポリマー若しくはオリゴマー０．０５〜５５重量％と、を含む、組成物。
【請求項２】
構造（ＩＩ）の１つ以上の前記第２モノマーが、構造（ＩＩａ〜ＩＩｄ）のモノマー、
【化１】
2010509457.tif 000006
（式中、
Ｙは、（Ｃ２〜Ｃ２０）アルキルであり、
ｎは、独立して０〜１０の整数、
Ｚは、−Ｃ２Ｈ４−又は−Ｃ３Ｈ６−であり、
Ｒ８は、−Ｈ又は−ＣＨ３であり、及び
Ｒ９は、−Ｈ又は−ＯＨである。）のうちの１つ以上から独立して選択される、請求項１に記載の組成物。